(57)【要約】  展示される物品のためのスペースを有する写真フレームと、電子画像表示ユニットと、  ａ）前記画像表示ユニットを制御する少なくとも一つの制御ユニット、ｂ）前記画像表示ユニットに電力を供給するバッテリユニット（３８）のうちの少なくとも一つとを備えた展示装置である。前記画像表示ユニットは前記写真フレーム中に前記制御ユニットおよび／またはバッテリユニットから分離して搭載され、少なくとも一つのケーブルにより接続される。画像表示ユニットをその制御ユニットやバッテリユニットから分離することにより、他のすべては等しいので、各ユニットの位置に関する選択の範囲が大きく、各ユニットはより小さいサイズになり得る。さらに、例えば画像表示ユニットはフレーム中の中心から外れて位置させることができ、さらに他のユニットは装置全体の重心がフレームの垂直中心上にあるように位置決めされ、これによってフレームはただ一つの中心点から吊るすことができ、まっすぐに吊るされる。
2014524822.tif 000002
【特許請求の範囲】
【請求項１】
展示する物品（２４）のための開口あるいは空間と、
電子的あるいは電力を供給された画像表示ユニットと、
ａ）前記画像表示ユニットを制御する少なくとも一つの制御ユニット（３２）、ｂ）前記画像表示ユニットに電力を供給する少なくとも一つの電源あるいはバッテリユニット（３８）のうちの少なくとも一つとを備えあるいは含む展示ケースあるいは写真フレーム（１２）を備え、
前記画像表示ユニットは前記展示ケース／写真フレーム中に前記制御ユニットおよび／または電源／バッテリユニットから分離して搭載され、少なくとも一つの作動接続あるいはケーブル（４０、４２）により接続されたことを特徴とする展示装置（１０）。
【請求項２】
前記展示ケースあるいは写真フレームは制御ユニット（３２）を有しあるいは含むことを特徴とする請求項１に記載の展示装置。
【請求項３】
前記展示ケースあるいは写真フレームはフレーム部材（１４Ｔ，Ｈ，Ｒ，Ｌ）を前記ケース／写真フレームの端部に含んでおり、
前記制御ユニットは前記フレーム部材の一つ（１４Ｒ）に隣接し、そのフレーム部材中あるいは貫通する開口（３６）を通ってアクセス可能であり、
前記一つのフレーム部材は前記展示ケース／写真フレームの右側あるいは左側に配置され、
前記一つのフレーム部材は使用時には前記展示ケース／写真フレームの右側部材あるいは左側部材上に配置され、および／または
前記制御ユニットはビデオあるいは写真のファイルおよび／またはビデオストリーを受け取る手段及びまたは記憶する手段、およびビデオモニタ信号を発生する手段(６６、６８、７８、８０)を含み、および
前記画像表示ユニットはビデオモニタ信号を前記制御ユニットから受け取り、前記ビデオモニタ信号により表される静止画および／または動画を表示するように動作するモニタ（２８）である、ことを特徴とする請求項２に記載の展示装置。
【請求項４】
前記展示ケース／写真フレームは少なくとも電源／バッテリユニット（３８）を有しあるいは含むことを特徴とする請求項１ないし３のいずれかに記載の展示装置。
【請求項５】
前記一つのバッテリユニット／電源を前記展示ケース／写真フレームを横断する横方向位置の範囲に搭載し、前記一つのバッテリユニット／電源を選択された位置の一つに固定する手段を含むことを特徴とする請求項４に記載の展示装置。
【請求項６】
前記展示ケース／写真フレームは複数のバッテリユニット／電源（３８）を備えた請求項４または５に記載の展示装置。
【請求項７】
前記展示ケース／写真フレームは、展示される物品用の開口あるいはスペース、画像表示ユニット、および制御ユニットおよび／または電源／バッテリユニットを覆う透明前面パネル（１６）を有しあるいは含むことを特徴とする請求項１ないし６のいずれかに記載の展示装置。
【請求項８】
前記展示ケース／写真フレームは、前記制御ユニットおよび／または電源／バッテリユニットを覆い、画像表示ユニットを見せる開口（２６）を有する不透明パネル（１８）を含むこと請求項１ないし７のいずれかに記載の展示装置。
【請求項９】
展示される物品用の開口あるいはスペースは前記透明パネルと前記不透明パネルの間に設けられ、好ましくは、前記フレーム／ケースは前記第１の不透明パネル中の第２の開口（２２）の背後に搭載された第２の不透明パネル（３０）を含み、前記展示される物品用の開口あるいはスペースが前記第１の不透明パネル中の前記第２の開口の中および／または背後かつ前記第２の不透明パネルの前方に設けられていることを特徴とする請求項７に従属する請求項８に記載の展示装置。
【請求項１０】
前記画像表示ユニットおよび前記制御ユニットおよび／または電源／バッテリユニットの後方のフレーム内にパネル（４４）が配置され、前記フレーム、画像表示ユニットおよび制御ユニットおよび／または電源／バッテリユニットと係合してそれらの相対的位置を維持するような形状とされていることを特徴とする請求項１ないし９のいずれかに記載の展示装置。
【請求項１１】
前記写真フレーム／展示装置が壁上のフックやその同等品から吊されることを可能とする手段（５８）をさらに含むことを特徴とする請求項１ないし１０のいずれかに記載の展示装置。
【請求項１２】
写真フレームあるいは展示ケースおよび画像表示ユニットを選択し、
少なくとも前記画像表示ユニットを制御する少なくとも一つの制御ユニット、少なくとも一つの電源あるいはバッテリユニットの少なくとも一方を選択し、
画像表示ユニットの位置を選び、
写真フレーム／展示ケース内に前記前記画像表示ユニットを少なくとも一つの制御ユニットおよび／または少なくとも一つの電源あるいはバッテリを分離して搭載し、
前記画像表示ユニットを前記制御ユニットおよび／または電源あるいはバッテリユニットに作動可能に接続し、
好ましくは、写真フレーム／展示ケース内の各制御ユニットおよび／または電源あるいはバッテリユニットに対する位置を選びおよび／または計算し、
それにより、これらの位置では展示装置の全体の重心が写真フレーム／展示装置のほぼ垂直中心線上あるいは予め選択された位置にあり、
そして展示装置は前記選ばれ／計算された、写真フレーム／展示ケース内の各制御ユニットおよび／または電源あるいはバッテリユニットの位置に応じて組み立てられることを特徴とする展示装置の製作方法。
【請求項１３】
前記画像表示ユニット、各制御ユニットおよび写真フレーム／展示ケース内の選択され／計算された位置にある各バッテリに適合するようにプラスチック材のシートを真空成型し、そして、好ましくは、
プラスチック材のシートは、写真フレーム／展示ケース、画像表示ユニット、各制御ユニットおよび各電源／バッテリユニットを真空成型の型として用いて真空成型されることを特徴とする請求項１２に記載の方法。
【請求項１４】
それによって展示装置の全体の重心が写真フレーム／展示装置のほぼ垂直中心線上あるいは予め選択された位置にあるように各１つの電源／バッテリユニットの位置（好ましくは横方向位置）を調整し、前記電源／バッテリを調整された位置に固定することを特徴とする請求項１２または１３に記載の方法。
【請求項１５】
記念品等の物品を展示するための部分を有する展示装置であって、
前記展示装置は記念品等に関連したテーマとなり得る少なくとも一つの電力供給された画像表示器（２８）を有し、前記少なくとも一つの電力供給された画像表示器（２８）は使用時に少なくとも一つの電源（３８）および／または少なくとも一つの制御ユニット（３２）に動作可能に接続され、前記少なくとも一つの電力供給された画像表示器（２８）は前記少なくとも一つの電源および／または前記少なくとも一つの制御ユニット（３２）から別々に搭載されあるいは搭載可能であり、配置は、好ましくは、展示装置は、選択された方向で点位置から装置が吊されることができるように重心の中心線に関して選択されたようにバランスが取られあるいは取ることができるようにされた、展示装置。
【発明の詳細な説明】
【技術分野】
【０００１】
本発明は展示装置内あるいは展示装置に関する改良に係り、より具体的には、展示される物品のためのスペースあるいは開口を有する展示ケースまたは写真フレームを備えた展示装置に関する。
【背景技術】
【０００２】
そのような装置は、もちろん、よく知られており、例えばテーブル上面のような水平支持体の上に立位で配置されたり、壁などの垂直な支持体の上に吊るされる従来のフレーム付きの写真や絵等の形態をなす。
【０００３】
スポーツシャツをこのようにフレームに収め、あるいは展示し、およびフレームに収められたシャツを壁の上に吊るしたりすることは知られている。
【０００４】
フレームに収められたサッカーシャツはサッカーファンの間で人気が高く、特に、例えばシャツがそのファンによりサポートされたクラブのチームシャツである場合、および特にそのシャツがそのクラブの背番号および／またはお気に入りの選手の名前（サイン）を有しているときは人気が高い。そのようなフレームに収められたサッカーシャツは、例えば有名な選手の本人の手書きサインを有しているか、試合中にその選手により実際に着用されたものであるかの少なくとも一方のときには、特に重要なものとなる。
【０００５】
本発明は、もともとフレームに収められたサッカーシャツにさらなる興味を与える方法として着想されたものであるが、重要なことには、例えば著名人の記念品や身の回り品など、映画やテレビの世界、あるいは歴史についての他の物品や情報にも適用できる。そのために、本発明の実施例にかかる展示装置は、展示される物品に関連したテーマが表示される電子的あるいは電力を与えられたオーディオおよび／又は画像／メディア表示装置（例えばＬＣＤ）あるいは同様のものを含んでいてもよい。したがって、例えば有名なサッカー選手のチームシャツの展示に加えて、装置は例えば、そのサッカー選手が活躍している写真や画像のスライドショーや録画されたビデオを表示することができる。
【０００６】
そのような表示装置は国際公開特許明細書Ｎｏ．ＷＯ２００８／１３８９３３Ａ１においてすでに提案されている。この装置では、マルチメディアプレーヤ３が、サッカーシャツのような記念品あるいは身の回り品のアイテムを保持するためのフレーム中の空洞の下に、ＬＣＤ画面４を持つコンテンツ分配手段２の一部として備えられている。コンテンツ分配手段２はマルチメディアプレーヤ３を含み、ＬＣＤ画面４、スピーカ、制御部、バッテリ、外部電源に接続するための入力、メモリ、ＵＳＰポート、ＷＩＦＩあるいはブルートゥースインタフェース、取り外し可能な記憶メディアの読取装置を有する複合ユニットあるいは装置である。ＷＯ２００８／１３８９３３Ａ１中の図面に記載されているように、マルチメディアプレーヤを備えたコンテンツ分配手段は、記念品アテムを保持するためのスペース／面積に比べ、かなり多くのスペース／面積を占有し、コンテンツ分配手段のＬＣＤ画面はコンテンツ分配手段により占有される面積の比較的少ない部分のみを占有する。ＷＯ２００８／１３８９３３Ａ１のコンテンツ分配手段により占有される体積は大きく、そしてＷＯ２００８／１３８９３３Ａ１の図面に示されるように、記念品アイテムおよびＬＣＤ画面は写真フレームの垂直中心線上に位置している。そのようになっているにもかかわらず、展示装置の種々な構成部品の相対的な重さの分布についての開示はなく、マルチメディアプレーヤの制御パネル６は、重さ分布における可能性のある不均衡を示唆する中心線からオフセットされている。したがって、不利なことには、上部中心点の位置からつり下げられても展示装置は必ずしも均衡して直線上に垂直に吊り下げられるとは限らない。さらに、展示装置の大きさに関連して、すべての種々の部品（特に制御パネルとバッテリ）を含むコンテンツ分配手段はＬＣＤ画面と制御パネルの記念アイテムを保持するための空洞に対する可能な位置に関して、特に展示装置が中心線に対して平衡しているとき（ほとんど平衡しているとき）、あるいは平衡していたときには不必要に制限的になる。
【０００７】
本願発明の目的は、物品を展示するための開口あるいはスペースを有する展示装置および電子的あるいは電力を与えられたオーディオおよび／又は画像／メディア表示装置を有する展示装置に関連して、前述したあるいは他の不利な点を少なくとも緩和し、いくつかの点に関して改良された展示装置を提供し、少なくとも特別の実施例において、画像表示装置および展示すべき物品のための開口部／スペースの相対的位置の先端においてより大きな柔軟性を提供できる展示装置を提供することである。
【０００８】
本願発明の第１の実施例にかかる展示装置によれば、展示すべき物品のための開口部／スペースを有しあるいは含む展示ケースあるいは写真フレームと、電子的あるいは電力を供給される画像表示ユニット、および次の
a)     画像表示ユニットを制御するための少なくとも一つの制御ユニット、
b)     画像表示ユニットに電力を与えるための少なくとも一つのバッテリユニットあるいは電源
のうちの少なくとも一つを有し、
前記画像表示ユニットは、ケースあるいはフレーム中に、少なくとも一つの制御ユニットおよび／または少なくとも一つのバッテリあるいは電源から分離して取り付けられており、少なくとも一つの動作配線あるいはケーブルに接続されあるいは接続可能である。
【０００９】
有利なことには、本発明のこの観点によれば、画像表示ユニットをその制御ユニットおよび／または電源あるいはバッテリから分離あるいは物理的に切り離しを行っているので、画像表示ユニットはケースがそのようになっていない場合よりもより小さい大きさにでき、すなわち、展示装置内の各ユニットの位置についてのより大きな選択を提供するために、組み合わされ統合されたユニットよりも小さい大きさになる。
【００１０】
さらに、非常に有利なことには、前述したように電源やバッテリユニットが別個に取り付けられている場合には、バッテリ／エネルギーの寿命を、従来の構成では、特に一つ以上のバッテリユニットを備えた場合、例えば２時間であったものを、１６時間以上で例えば１７０時間程度までの寿命を提供でき、これにより、バッテリの充電間の時間を大きく短縮でき、装置の全体の重量も軽減できる。加えて、画像表示装置を電源から分離しあるいは物理的に切り離すことは、現在進歩しつつありまたは安価に入手できない（例えば、ＯＬＥＤや反射ビデオ（ＲＶ））低電力画面技術の使用が可能になり、これによって同じ電源を用いてもより長いエネルギー寿命を提供できる。要約すれば、画像表示ユニットをその電源／バッテリから分離することはより電源／バッテリのより大きな物理的サイズと電力が提供されることを可能とする。
【００１１】
展示装置のあるデザインにおける画像表示に対してメイン機器からケーブルを介して電力供給されることが可能であるとしても、出願人は多くの場合、このことは不便であり、見た目も良くない傾向があるものと考える。したがって、出願人は、展示装置は、展示装置自身中に位置する自己の電源により合理的な時間（例えば１６時間）連続して使用できることに関心がある。追加メイン電源接続が提供されても良い。
【００１２】
さらに、例えば、画像表示ユニットは、装置全体の重力中心がフレームの中央線上にあるように、また、フレームが一つの中央ポイントから吊され、バランスした状態で垂直に吊されるように選択的に位置決めされた他の上述したユニットに対し、フレーム中において非対称あるいは中心を外れて（あるいは中心線を外れて）位置するように設計されることができる。重力中心を十分に正確に位置させるために、すべてのユニットの必要な位置を確かめ、予備選択するためにモーメントの原理を用いることができる。
【００１３】
展示ケースあるいは写真フレームはその端部に枠組立部材を有し、好ましくは、少なくとも一つの制御ユニットは、一つの枠部材に隣接して位置し、また、開口あるいは枠組立部材を通してアクセスできることが好ましい。したがって、制御ユニットのアクセス可能な部分は目立たない。その一つの部材は、好ましくは、ほとんどの場合において、フレームの一方側にいるユーザにより容易に見あるいは操作できるように、写真フレームの右側あるいは左側に配置される。これに対し、ＷＯ２００８／１３８９３３Ａ１の明細書においては、ユーザによりアクセスされる制御パネルは下側枠組立部材の下側にある。
【００１４】
その制御ユニットは、好ましくは、ビデオあるいは写真ファイルおよび／またはビデオストリームの受け取り手段およびビデオモニタ信号を発生するための手段を有している。画像表示ユニットは、好ましくは、制御ユニットからビデオモニタ信号を受け取るように接続され、ビデオモニタ信号により表される静止および／または動画を表示するようにされるモニタである。画像表示装置の大きさ特にその厚さは、比較的小さく、目立たない。
【００１５】
展示装置は、バッテリユニット（単数または複数）を写真フレームの好ましくは横方向にわたる位置範囲内に搭載するための手段、および選択された一つの位置に固定するための手段を有している。したがって、バッテリユニットは、展示装置全体としてバランスをとるのに用いられる。
【００１６】
写真フレームは、好ましくは、透明な展示される物品のための開口／スペースを覆い、画像表示ユニットおよび／またはバッテリユニットを覆う透明な前面パネルを含んでいる。
【００１７】
また、写真フレームは、好ましくは、制御ユニットおよび／またはバッテリユニットを覆い、画像表示装置を見せる開口を有する不透明なパネル／部分を含んでいる。
【００１８】
有利なことには、このパネル／部分は展示装置に対するきれいで整った外観を提供することを補助する。展示される物品に対する開口／スペースは、透明パネルと不透明パネル／部分の間に与えられる。あるいは、フレームは、第１の不透明なパネル中の第２の開口の背後に取り付けられた第２の不透明なパネルを含んでもよく、この場合は、展示される物品のための開口／スペースが第１の不透明パネル中の第２の開口の中および／または後ろおよび第２不透明パネルの前に与えられている場合である。このような装置は、展示される物品がかなりの厚さを有するにもかかわらず、特にスペーサが第１および第２の不透明パネルの間に備えられるときに、展示装置がきれいで整った外観を呈することを支援し、第１の不透明パネルが透明パネルの内部面に対して反ることなく位置することを可能にする。
【００１９】
好ましい実施例においては、成型されたパネル部材あるいはスペーサ手段はフレーム内で画像表示ユニットおよび制御ユニットおよび／またはバッテリユニットの背後に配置され、フレーム、画像表示ユニットおよび制御ユニットおよび／またはバッテリユニットと係合するように成形され、それらの相対的位置を維持する。成型されたパネル部材は真空成型ブラスチックであっても良い。さらに、電源／バッテリユニットおよび／または少なくとも一つの制御ユニットを画像表示ユニットから分離し、あるいは物理的に切り離すことの他の利点は、画像表示装置のサイズ、厚さ、重さを減少させ、画像表示装置を支持し位置させるための型枠がもはや必要なくなり、それによりコストや複雑性を減少できることである。その代わりに、搭載カード／プレートの逆側に、画像表示装置は好ましくは位置決め治具を用いて簡便に固定される。
【００２０】
展示装置は、さらに展示ケース写真フレームを壁あるいは垂直平面上の絵用フックあるいは他のマウントから吊したり、係合することを可能とする手段を含むと良い。
【００２１】
本発明の他の観点によれば、完成品が選択的にバランスをとれるように、上述した特徴のいくつかと関連した特徴を有する展示装置の製造方法が提供される。
【００２２】
特に、本発明の第２の観点によれば、写真フレーム、画像表示ユニット、少なくとも一つの制御ユニット、少なくとも一つのバッテリユニットを選択し、画像表示ユニット、各制御ユニット、各バッテリユニットに対する位置を選択することにより、これらが選択された位置にあるときに、展示装置全体の全体的な重力中心写真フレームの垂直中心線上にほぼあるようにし、可能ならば、画像表示ユニット、少なくとも一つの制御ユニット、各バッテリユニットが写真フレーム中の選択位置にあるようにさせるプラスチック材料のシートを真空成型し、あるいは好ましくは画像表示装置を搭載カード／プレートに固定するようにするステップを備えた展示装置を作成する方法が提供される。
【００２３】
プラスチック材料のシートは、真空成型プロセス中で型としての写真フレーム、画像表示ユニット、各制御ユニット、各バッテリユニットを用いて真空成型されると良いが、前述したように、画像表示装置は簡便に搭載カード／プレートに固定されると良い。
【００２４】
本願発明の第３の観点によれば、写真フレーム、画像表示ユニット、少なくとも一つの制御ユニット、少なくとも一つのバッテリユニットを選択し、画像表示ユニット、各制御ユニット、各バッテリユニットに対する写真フレーム中の位置を選択し、展示装置の全体の重力中心が写真フレームの垂直中心線上に概ね位置するように各バッテリユニットの位置を計算し、展示装置を選択され計算された位置に従って組み立てるステップを備えた展示装置を作成する方法が提供される。
【００２５】
本発明の第４の観点によれば、写真フレーム、画像表示ユニット、少なくとも一つの制御ユニット、少なくとも一つのバッテリユニットを選択し、写真フレーム、画像表示ユニット、各制御ユニット、各バッテリユニットを組み立て、展示装置の全体の重力中心が写真フレームの垂直中心線上に概ね位置するように各バッテリユニットの横方向位置を調整し、少なくとも１つのバッテリユニットを調整された位置に固定するステップを備えた展示装置を作成する方法が提供される。
【００２６】
展示装置は選択されたサイズと、四角形、正方形、円形、楕円形、多角形になり得る形状を有するケースあるいは写真フレームを有するが、展示ケース／写真フレームの中央線上に重力中心をより容易に調整できるように対象な形状が望ましい。
【００２７】
本発明のいくつかの実施例においては、ケース／フレームは非対称であることができ、および／または展示装置内のユニットの重量分布が垂直に対して選択された向きに吊されることができるように重力中心がオフセットされるようにその装置が慎重に設計される。
【００２８】
このような設計においては、ケース／フレームは、画像表示ユニットに関連して物品を展示に適した選択された向きに吊され得ることが重要である。
【００２９】
したがって、本願発明によれば、次の特徴の一つ以上を有する展示装置が提供される。
【００３０】
ａ）  記念品あるいはこれに相当する物品の展示に適合された第１の領域及び少なくとも一つの電力を供給された媒体（好ましくは画像）表示器を有し、展示装置はその第２の領域に別個に搭載されあるいは搭載可能な、電源、例えばバッテリを有している。
【００３１】
ｂ）  記念品あるいはこれに相当する物品の展示に適合された第１の領域及び少なくとも一つの電力を供給された媒体（好ましくは画像）表示器を有し、展示装置は、その第２の領域に別個に搭載されあるいは搭載可能な、電力を供給された媒体表示器の制御ユニットを有している。
【００３２】
ｃ）  ａ）またはｂ）による展示装置であって、電源装置および／または制御ユニットは、装置がある点位置から特に選択された方向配置で（通常は直線上かつ対称的）装置の重心（通常は装置の中心線上にある）から吊されるように、選択的に位置決めするように、装置内に位置し、電源や制御ユニットの位置は好ましくは所望の方向配置に合致するように変更可能あるいは調整可能となっている。
【００３３】
さ画像表示器は、展示ケース／フレームを経由し、あるいは、好ましくは、例えば制御ユニット内のポートを経由して、主電源としての外部の電源に接続できる。
【００３４】
より一般的には、本発明によれば、次のステップを有する展示装置を作成する方法が提供される。
【００３５】
写真フレームあるいは展示ケースあるいは画像表示ユニットを選択し、画像表示ユニットを制御する少なくとも一つの制御ユニットおよび少なくとも一つの電源あるいはバッテリユニットの少なくとも一つを選択し、写真フレーム／展示ケース内の各制御ユニットあるいは各バッテリユニットに対する位置を選択あるいは計算することにより、これらが選択された位置にあるときに、展示装置全体の全体的な重力中心が写真フレーム／展示ケースの垂直中心線上にほぼあるか、前もって選択された位置にあるようにし、
各制御ユニット／電源あるいはバッテリユニットの選択され／計算された位置にしたがって展示装置を組み立てる。
【００３６】
さらに本発明によれば、次のステップを有する展示装置を作成する方法が提供される。
【００３７】
写真フレームや展示ケースおよび画像表示ユニットを選択し、画像表示ユニットを制御する少なくとも一つの制御ユニットおよび少なくとも一つの電源あるいはバッテリユニットの少なくとも一つを選択し画像表示ユニットを制御ユニット／電源あるいはバッテリユニットに動作可能に接続し、好ましくは、写真フレーム／展示ケース内の各制御ユニット／および／または電源あるいはバッテリの位置を選択および／または計算し、これらが選択された位置にあるときに、展示装置全体の全体的な重力中心が写真フレーム／展示ケースの垂直中心線上にほぼあるか、前もって選択された位置にあるようにし、各制御ユニット／電源あるいはバッテリユニットの選択され／計算された位置にしたがって展示装置を組み立てる。
【００３８】
本発明による展示装置の実施例は、例としての次の添付図面を参照して記述される。
【図面の簡単な説明】
【００３９】
【図１】展示装置の正面等角投影図である。
【図２】装置の裏面等角投影図である。
【図３】装置の後面板の等角投影図である。
【図４】装置用のガラスの等角投影図である。
【図５】装置用の第１の内部パネルの正面等角投影図である。
【図６】装置用のスペーサの等角投影図である。
【図７】装置用の第２の内部パネルの正面等角投影図である。
【図８】装置用の電子表示ユニットの正面等角投影図である。
【図９】装置用の制御ユニットの正面等角投影図である。
【図１０】装置用のバッテリの正面等角投影図である。
【図１１Ａ】装置用の真空成型されたトレイの正面等角投影図である。
【図１１Ｂ】装置用の真空成型されたトレイ裏面等角投影図である。
【図１２】図１３に示された線１２−１２線上で取られた正面等角投影断面図である。
【図１３】図１２に示された線１３−１３線上で取られた側面等角投影断面図である。
【図１４】装置の側面図である。
【図１５】装置用の回路の概略ブロック図である。
【発明を実施するための形態】
【００４０】
図１から１４を参照すると、展示装置１０は、上部、底部、左側、右側のフレーム部材１４Ｔ，Ｂ，Ｌ，Ｒを有する展示ケースあるいは写真フレーム１２を備えている。ガラス１６およびその背後に正面不透明パネル１８がフレーム部材１４の溝２０にはめ込まれている。正面パネル１８には、１つ以上の展示すべき物品２４（図面には一つの物品が四角のブロックとして表示されている）について所望の位置に一つ以上の開口２２、および一つ以上のビデオモニタユニット２８（図面中では１つが示されている）に対する１つ以上の開口２６が所望の位置に形成されている。
【００４１】
正面パネル１８における開口２２よりも大きい背面不透明パネル３０が正面パネル１８の開口２２の後ろ側に取り付けられており、そして、角形スペーサ枠３１は正面パネル１８と背面不透明パネル３０の間に設けられ、展示される物品２４が収納されるように、ガラス１６と背面不透明パネル３０の間にかなりの深さが供給されるようにしている。物品２４は背面不透明パネル３０に対して固定されて良い。ビデオモニタユニット２８は開口２６の背後に取り付けられ、ビデオモニタユニット２８の画面２９は開口２６を通して見える。
【００４２】
制御ユニット３２は正面不透明パネル１８の背後で写真フレーム１２の右側に取り付けられ、右側フレーム部材１４Ｒ中の溝３６に突入された制御パネル３４を有しており、これにより制御パネル３４にアクセスが可能となっている。１つ以上の充電可能バッテリ３８（図面中では２個示される）も正面不透明パネル１８の背後に取り付けられる。バッテリ３８はバッテリケーブル４０で制御パネル３２に接続され、ビデオモニタユニット２８は制御ユニット３２にビデオケーブル４２で接続されている。バッテリ３８、ケーブル４０、４２および制御ユニット３２（その制御パネル３４からは離れる）は不透明パネル１８により視界から隠される。
【００４３】
トレイ４４は上述した部品の背後で写真フレーム１２に取り付けられる。トレイ４４は、写真フレーム１２中の溝２０中にぴったりはめ込まれるように、またビデオモニタユニット２８、背面不透明パネル３０およびそのスペーサ枠２４、制御ユニット３２、バッテリ３８、ケーブル４０、４２、およびこのケーブル４０、４２の端部の接続プラグの周囲にぴったりとはめ込まれるような形状となっている。したがって、図１１Ａ，１１Ｂに示されるように、トレイ４４は、正面パネル４６、正面パネル４６（装置１０の部品の一つがフレーム部材１４と係合する場所以外）の周囲の縁（ｌｉｐ）４８、ビデオモニタユニット２８のための正面パネル４６中の凹部５０、後面不透明パネル３０およびそのスペーサ枠２４、制御ユニット３２とバッテリ３８、ケーブル４０、４２用の正面パネル中のチャネル５２、コネクタプラグについて必要な場合はチャネル５２の端部での拡幅部５４を有している。
【００４４】
裏板５６はダイトレイ（ｄｉｅ  ｔｒａｙ）４４の背後のダイフレーム部材１４中のさらなる溝５８に取り付けられ、ピン、ネジ、接着テープなどのあらゆる適当な手段で正しい位置に固定される。裏板５６およびガラス１６はこれらの間の写真フレーム１２の他のコンテンツを整って保持する。裏板はダイ展示装置１０が壁上で例えば写真フックに吊されることを可能にするために、あらゆる適当な器具５８が設けられている。
【００４５】
したがって、表示ユニットのすべての部品は、正しい場所でぴったりと保持されるが、もし望むならば、制御ユニット３２も右側フレーム部材１２Ｒに、例えばスロット３６の上面および下面のフレーム部材１２Ｒ中の穴を通り制御ユニット３２中のねじ穴に入る一対のねじにより固定されることができる。
【００４６】
図１５を参照すると、制御ユニット３２のダイ制御パネル３４は、展示装置１０を電源に接続することを可能にする、主電源アダプタのような電力ソケット６０、ユーザにより装置のスイッチオンオフを可能にする電力スイッチ６２、電池寿命表示器６４、ＤＶＤを再生できビデオ信号をプロセッサ７６に供給するＤＶＤプレーヤ６６のディスク挿入スロット、ＵＳＢポート６８に差し込まれたＵＳＢケーブルを介して、ビデオおよび／または写真ファイルを格納するためのメモリと外部装置間でファイルの転送を許容するＵＳＢポート６８を有している。制御パネル３４は、装置１０用のリモコン７２を収納する凹部７０が形成されていても良い。
【００４７】
制御ユニット３２は、主電源アダプタから電源ソケット６０を介しておよびバッテリケーブル４０を介してバッテリ３８から電力を受け取る電源制御ユニット７４を含む。
【００４８】
電源制御ユニット７４はバッテリ３８の再充電も制御し、ビデオケーブルを介してビデオモニタユニット２８へ、電力接続（図示せず）を介してプロセッサ７６及び制御ユニット３２の他の要素への電源供給を制御するようにスイッチ６２にも応答する。バッテリ表示器６４は電源制御ユニット７４に接続され、残存電池寿命の時間数を表示するように作動される。制御ユニット３２はメモリ１８とｗｉ−ｆｉネットワーク間でファイルの転送を許容するｗｉ−ｆｉインターフェース８０をも含む。
【００４９】
ビデオモニタユニット２８は単にモニタ機能を提供するもので、制御ユニット２８中のプロセッサ７６からのビデオケーブル４０上のビデオ信号、例えばＲＧＢ、ＤＶＩ、ＨＤＭＩ信号のいずれか、を受け取る。ビデオモニタユニット２８は、好ましくは、ビデオあるいは写真のファイルをビデオ信号に変換するためのいかなる回路も含まない。ビデオモニタユニット２８はＬＣＤあるいはＯＬＥＤディスプレイ技術を用いるものであると良い。その結果、ビデオモニタユニット２８はサイズにおいて比較的薄くできる。
【００５０】
ビデオモニタユニット２８のハウジングは、ビデオケーブル４２を介してプロセッサ７６に制御信号を供給する赤外線受信器８２を含んでいても良い。リモートコントローラ７２はユーザにより操作される多くのプッシュボタン（図示せず）および対応する命令コードを赤外線受信器８２そしてプロセッサ７６に送信する赤外線送信機８４を有している。
【００５１】
各バッテリ３８は、バッテリ３８が物理的に適切な大きさに容易に構成され、大きさが十分薄くできるように、リチウムイオンポリマ技術を用いるものであることが好ましい。
【００５２】
各バッテリ３８は、必要な出力電圧を供給できるように直列接続された多くのセルを含んでもよい。
【００５３】
展示装置１０の動作中、該装置は電源スイッチ６２を用いて電源投入することができる。装置１０はリモートコントローラ７２を用いて、スタンバイ状態とオン状態の間で切り替えられることができる。オン状態のときには、メモリ７８と外部ネットワーク間でＵＳＢポート６８およびｗｉ−ｆｉインターフェース８０を介してビデオあるいは写真のファイルを転送することができる。それから、プロセッサ７６にモニタユニット１０にメモリ７８および／またはＤＶＤプレーヤ６６に挿入されたＤＶＤ上のファイルの詳細を表示させるために、また、ファイルを選択し、プロセッサ７６にビデオや写真が画面２９上に表示されるようにモニタユニット２８に送られるビデオ信号にファイルを変換するために、適当なボタンを押すことによってリモートコントローラ７２が使用される。リモートコントローラ７２およびプロセッサ７６には、プレイリストを編集し、プレイリストをプレイし、ポーズ、ストップ、繰り返し、シャッフリング、画面属性を変更することなどのオプションが提供されても良い。
【００５４】
展示装置１０は、前面写真取付板４２と裏板３８の間で写真フレーム１２中に１つ以上のスピーカが搭載され、音が漏れるような穴が開けられた底部フレーム部材１４Ｂに取り付けられたオーディオ機器を有しており、この場合、制御ユニット３２は、モニタユニット２８で再生されるファイルからスピーカがオーディオを再生できるように、プロセッサ７６とスピーカの間に接続されたオーディオインターフェースを含んでも良い。リモートコントローラ７２およびプロセッサ７６は音量制御やミューティングのようなオーディオのオプションを備えることができる。
【００５５】
特に図１１Ａ、Ｂおよび１２から、展示装置１０の部品は対称に配置されておらず、そして装置１０全体の重心がフレーム１２の垂直中心線上にあることを確実にしておかなければ、装置１０はまっすぐ吊されないことを理解するべきである。このことはいろいろな方法でなされる。
【００５６】
例えば、装置１０の各部品の質量が前もって確認されるとよい。そして、装置の部品のいくつか、例えば、一つまたは複数のうちの一つのバッテリ３８を除くすべての部品の配置は準備されるとよい。そして、これらの部品の質量とフレーム１２の中心から重心までの距離の積の代数的合計が、中心線の右側および左側に対する距離がそれぞれ正であるのか負であるのかについて、計算されるとよい。その合計は、中心線からのバッテリ３８の重心に対する必要な距離を、左あるいは右を意味する正あるいは負の結果とともに与えるためにバッテリ３８の質量により除算されるとよい。
【００５７】
代替的には、装置１０のすべての部品が組み立てられ、装置１０は絵用フックから器具５８によって吊されるとよい。バッテリ３８のような一つ以上の部品の位置は、装置がまっすぐに吊されるまで調整されることができる。そして装置１０の部品は正しい位置に固定される。
【００５８】
上述したように、本発明の実施例においては、トレイ４４は複雑な形状を有しており、成型温度まで加熱された後の高衝撃ポリスチレンのような熱可塑性プラスチック材料のシートを真空成型することによって製造されることが好ましい。展示装置１０のフレーム１２および他の部品は、真空テーブル上での必要な相対的位置に置かれた後は、真空成型のための型作成物のように用いられる。代替的には真空成型のための型が、真空テーブルの上の必要な相対的位置に置かれた、フレーム１２に似た要素及び装置１０の他の要素から構成されても良い。この場合、要素は、成型されたトレイ４４が型となる要素から容易にはずれるように、適当な抜き勾配角度が与えられるとよい。
【００５９】
上述した本願発明の実施例に対してなされる多くの変形や改良がある。
【００６０】
例えば、展示装置１０は、展示される物品２４とフレーム１２中にその中心に配置されたビデオモニタユニットの画面２９が図中に示されているが、それらの一方あるいは双方が垂直中心線から外れていてもよい。
【００６１】
１つの展示される物品２４、１つのビデオモニタユニット２８および１つあるいは２つのバッテリ３８が上述されているが、これらの品目は他の数であっても良い。
【００６２】
展示される物品２４がシート状のもの（例えば写真や証明書）である場合には、後方の不透明パネル３０、そのスペーサフレーム３１および前面パネル１８中の開口２２は省略することができ、物品２４は不透明パネル１８とガラス１６の間に挟むことができる。
【００６３】
写真フレーム中のすべての物品がトレイ４４により保持される必要はない。例えば、バッテリ３８は底部フレーム部材１４Ｂと平行なレール部材の間および／または上面フレーム部材１４Ｔと平行レール部材との間に搭載されても良く、それにより展示ユニット１０の必要なバランスをとるために、バッテリ３８はフレーム１２Ｔ，Ｂとレール部材との間でフレーム１２の横方向にスライドすることができ、それから粘着テープ等で固定され、そして裏張板がはめ込まれる。
【００６４】
上述された本発明の実施例は純粋に例として記載されたものであり、本発明の範囲内で多くの他の変形や発展が行われて良い。
【００６５】
さらに、本発明によれば、記念品等を展示する部分を有し、記念品等にテーマを関連させることができる少なくとも一つの電力供給された画像表示器等であって、使用時には少なくとも一つの電源および／または少なくとも一つの制御ユニットに作動可能に接続される画像表示器を有する展示装置が提供されており、少なくとも一つの電源供給された画像表示器はケースあるいはフレームの中に少なくとも一つの電源および／または少なくとも一つの制御ユニットから別々に搭載されあるいは搭載可能となっており、配置は展示装置がポイント位置から選択された方向で装置が吊されることを可能にするように重心に関してバランスが取られ、あるいはバランスを取ることが可能となっている。
【００６６】
一つより多い電力を供給された画像表示器が供給されて良く、あるいは画像表示器が音響表示器のみに代えられても良い。
【００６７】
本発明の範囲は用語の特別な選択により甚だしく制限されないようにすること、および特別の用語が等価にあるいは一般的な用語に置き換えられたり補足されることが理解されるべきである。例えば、「スペース」および「開口(opening)」の単語は空洞（cavity）、凹部（recess）、開口（aperture）等に置き換えることができ、展示ケース（display case）は展示ボックス（display box）に置き換えることができ、バッテリユニット（battery unit）は電源ユニット（power unit）あるいは電源（power supply）に置き換えることができ、パネルは部材（member）、ブラケット（bracket）、トレイ（tray）に置き換えることができる。さらに、展示装置に関する個々の特徴、方法、あるいは機能およびこれらの組み合わせはそれぞれ個々に特許性のある発明をなすことを理解されたい。単数は複数をまたこの逆も含み得る。位置や方向を伝える右や左などの言葉は、限定するようには解釈されるべきでなく、使用においては可能な相対的方向の表示を与えるようにされるべきである。さらに、いかなるパラメータや変数に対してここで与えられる範囲は、その範囲内のいかなる派生的サブ範囲の開示を含むか、その範囲あるいはサブ範囲内あるいはその端部での変数やパラメータの特異値の開示を示すように取られるべきである。
【図１】
2014524822.tif 000003
【図２】
2014524822.tif 000004
【図３】
2014524822.tif 000005
【図４】
2014524822.tif 000006
【図５】
2014524822.tif 000007
【図６】
2014524822.tif 000008
【図７】
2014524822.tif 000009
【図８】
2014524822.tif 000010
【図９】
2014524822.tif 000011
【図１０】
2014524822.tif 000012
【図１１Ａ】
2014524822.tif 000013
【図１１Ｂ】
2014524822.tif 000014
【図１２】
2014524822.tif 000015
【図１３】
2014524822.tif 000016
【図１４】
2014524822.tif 000017
【図１５】
2014524822.tif 000018
【国際調査報告】
2014524822.tif 000019
2014524822.tif 000020
2014524822.tif 000021